(57)【要約】【課題】  端末が複数の基地局に同時に接続される場合に、端末が使用可能な送信電力を考慮して、端末における複数の基地局に対する最大送信電力を配分すること。【解決手段】  通信装置が基地局装置および１つ以上の他の基地局装置と同時に接続できる無線通信システムにおける、基地局装置は、通信装置が基地局装置へ信号を送信する際に使用できる第１の最大送信電力と、通信装置が１つ以上の他の基地局装置のそれぞれへ信号を送信する際にそれぞれ使用できる第２の最大送信電力とを、第１の最大送信電力と第２の最大送信電力の和が通信装置において使用できる第３の最大送信電力を超えないように決定し、第１の最大送信電力を通信装置へ通知すると共に、第２の最大送信電力を１つ以上の他の基地局装置のそれぞれへ通知する。第２の最大送信電力は、基地局装置または１つ以上の他の基地局装置のそれぞれのいずれかから通信装置へ通知される【選択図】  図４
2015056780.tif 000002
【特許請求の範囲】
【請求項１】
通信装置が基地局装置および１つ以上の他の基地局装置と同時に接続できる無線通信システムにおける、前記基地局装置であって、
前記通信装置が前記基地局装置へ信号を送信する際に使用できる第１の最大送信電力と、前記通信装置が前記１つ以上の他の基地局装置のそれぞれへ信号を送信する際にそれぞれ使用できる第２の最大送信電力とを、前記第１の最大送信電力と前記第２の最大送信電力の和が前記通信装置において使用できる第３の最大送信電力を超えないように決定する決定手段と、
前記第１の最大送信電力を前記通信装置へ通知すると共に、前記第２の最大送信電力を前記１つ以上の他の基地局装置のそれぞれへ通知する通知手段と、
を有し、
前記第２の最大送信電力は、前記通知手段により前記通信装置へ通知され、または前記１つ以上の他の基地局装置のそれぞれから前記通信装置へ通知される、
ことを特徴とする基地局装置。
【請求項２】
前記決定手段は、前記１つ以上の他の基地局装置の数に応じて、前記第１の最大送信電力と前記第２の最大送信電力とを決定する、
ことを特徴とする請求項１に記載の基地局装置。
【請求項３】
前記決定手段は、前記１つ以上の他の基地局装置の数に１を加えた数により前記第３の最大送信電力を除算した結果を、前記第１の最大送信電力および前記第２の最大送信電力として決定する、
ことを特徴とする請求項２に記載の基地局装置。
【請求項４】
前記決定手段は、前記１つ以上の他の基地局装置の数に１より大きな数を加えた数により前記第３の最大送信電力を除算した結果を前記第２の最大送信電力として決定し、決定した前記第２の最大送信電力の総和を前記第３の最大送信電力から減じた結果を前記第１の最大送信電力として決定する、
ことを特徴とする請求項２に記載の基地局装置。
【請求項５】
前記決定手段は、前記通信装置が送信した信号が前記基地局装置において所定の品質で受信されるのに要する前記通信装置における送信電力を前記第１の最大送信電力として決定し、決定した前記第１の最大送信電力を前記第３の最大送信電力から減じた結果が、前記１つ以上の他の基地局装置のそれぞれにおける前記第２の最大送信電力の総和以上となるように、前記第２の最大送信電力を決定する、
ことを特徴とする請求項１に記載の基地局装置。
【請求項６】
前記決定手段は、前記基地局装置が複数の通信装置と接続される場合、前記複数の通信装置のそれぞれが送信した信号が前記基地局装置において前記所定の品質で受信されるのに要する送信電力のうち、最大の送信電力の値を、前記第１の最大送信電力として決定する、
ことを特徴とする請求項５に記載の基地局装置。
【請求項７】
前記決定手段は、前記基地局装置と前記通信装置との間の第１の伝搬損失と、前記１つ以上の他の基地局装置のそれぞれと前記通信装置との間の第２の伝搬損失とに基づいて、前記第１の最大送信電力および前記第２の最大送信電力を決定する、
ことを特徴とする請求項１に記載の基地局装置。
【請求項８】
前記決定手段は、前記基地局装置が複数の通信装置と接続される場合に、前記基地局装置と当該複数の通信装置のそれぞれとの間の伝搬損失のうち最大のものを前記第１の伝搬損失とし、前記１つ以上の他の基地局装置が複数の通信装置と接続される場合に、前記１つ以上の他の基地局装置のそれぞれと当該複数の通信装置のそれぞれとの間の伝搬損失のうち最大のものを前記第２の伝搬損失として、前記第１の最大送信電力および前記第２の最大送信電力を決定する、
ことを特徴とする請求項７に記載の基地局装置。
【請求項９】
前記決定手段は、前記第２の伝搬損失の情報を前記１つ以上の他の基地局装置から受け付けて、前記第１の最大送信電力および前記第２の最大送信電力を決定する、
ことを特徴とする請求項７又は８に記載の基地局装置。
【請求項１０】
前記第２の伝搬損失の情報を前記１つ以上の他の基地局装置へ要求する要求手段をさらに有する、
ことを特徴とする請求項９に記載の基地局装置。
【請求項１１】
前記決定手段は、前記通信装置が前記基地局装置へ信号を送信する際に使用する送信電力を定めるための第１のパラメータと、前記通信装置が前記１つ以上の他の基地局装置のそれぞれへ信号を送信する際に使用する送信電力を定めるための第２のパラメータとにさらに基づいて、前記第１の最大送信電力および前記第２の最大送信電力を決定する、
ことを特徴とする請求項７又は８に記載の基地局装置。
【請求項１２】
前記決定手段は、前記第２のパラメータの情報を前記１つ以上の他の基地局装置から受け付けて、前記第１の最大送信電力および前記第２の最大送信電力を決定する、
ことを特徴とする請求項１１に記載の基地局装置。
【請求項１３】
前記第２のパラメータの情報を前記１つ以上の他の基地局装置へ要求する要求手段をさらに有する、
ことを特徴とする請求項１２に記載の基地局装置。
【請求項１４】
前記第１のパラメータは、前記基地局装置に接続される前記通信装置の１つが使用した無線リソースの数の平均値を含み、前記第２のパラメータは、前記他の基地局装置に接続される前記通信装置の１つが使用した無線リソースの数の平均値を含む、
ことを特徴とする請求項１１から１３のいずれか１項に記載の基地局装置。
【請求項１５】
前記第１のパラメータは、前記第１の伝搬損失に加えられることにより前記通信装置の前記基地局装置へ送信する信号の送信電力が定まるオフセット値を含み、前記第２のパラメータは、前記第２の伝搬損失に加えられることにより前記通信装置の前記他の基地局装置へ送信する信号の送信電力が定まるオフセット値を含む、
ことを特徴とする請求項１１から１４のいずれか１項に記載の基地局装置。
【請求項１６】
前記第１のパラメータは、前記通信装置の前記基地局装置へ送信する信号の送信電力を定める際に前記第１の伝搬損失を補正するための係数を含み、前記第２のパラメータは、前記通信装置の前記他の基地局装置へ送信する信号の送信電力を定める際に前記第２の伝搬損失を補正するための係数を含む、
ことを特徴とする請求項１１から１５のいずれか１項に記載の基地局装置。
【請求項１７】
前記決定手段は、前記他の基地局装置から、最大送信電力を決定することの要求を受け付けたことに応じて、前記第１の最大送信電力および前記第２の最大送信電力を決定する、
ことを特徴とする請求項１から１６のいずれか１項に記載の基地局装置。
【請求項１８】
前記決定手段は、さらに、決定した前記第１の最大送信電力が当該第１の最大送信電力の最小値より小さい場合に前記第１の最大送信電力を当該最小値に変更し、又は、決定した前記第１の最大送信電力が当該第１の最大送信電力の最大値より大きい場合に前記第１の最大送信電力を当該最大値に変更し、変更後の前記第１の最大送信電力を前記第３の最大送信電力から減じた値が、前記第２の最大送信電力の総和以上となるように、前記第２の最大送信電力を変更する、
ことを特徴とする請求項１から１７のいずれか１項に記載の基地局装置。
【請求項１９】
前記決定手段は、さらに、決定した前記第２の最大送信電力が当該第２の最大送信電力の最小値より小さい場合に前記第２の最大送信電力を当該最小値に変更し、又は、決定した前記第２の最大送信電力が当該第２の最大送信電力の最大値より大きい場合に前記第２の最大送信電力を当該最大値に変更し、変更後の前記第２の最大送信電力の総和を前記第３の最大送信電力から減じた値が、前記第１の最大送信電力以上となるように、前記第１の最大送信電力を変更する、
ことを特徴とする請求項１から１８のいずれか１項に記載の基地局装置。
【請求項２０】
基地局装置および１つ以上の他の基地局装置と同時に接続できる通信装置であって、
前記基地局装置から、当該基地局装置への信号の送信に使用できる第１の最大送信電力の情報を取得すると共に、前記基地局装置または前記１つ以上の他の基地局装置のそれぞれから、前記１つ以上の他の基地局装置のそれぞれへの信号の送信に使用できる第２の最大送信電力の情報を取得する取得手段と、
前記基地局装置および前記１つ以上の他の基地局装置のそれぞれに同時に信号を送信する場合は、それぞれ前記第１の最大送信電力と前記第２の最大送信電力とを超えない電力で当該信号を送信する送信手段と、
を有し、
前記第１の最大送信電力と前記第２の最大送信電力の和は前記通信装置において使用できる第３の最大送信電力を超えない、
ことを特徴とする通信装置。
【請求項２１】
前記送信手段は、前記基地局装置および前記１つ以上の他の基地局装置のうちの１つの基地局装置に対してのみ信号を送信する場合には、前記通信装置において使用できる第３の最大送信電力を超えない範囲で当該１つの基地局装置へ信号を送信する、
ことを特徴とする請求項２０に記載の通信装置。
【請求項２２】
通信装置が基地局装置および１つ以上の他の基地局装置と同時に接続できる無線通信システムにおける、前記基地局装置の制御方法であって、
決定手段が、前記通信装置が前記基地局装置へ信号を送信する際に使用できる第１の最大送信電力と、前記通信装置が前記１つ以上の他の基地局装置のそれぞれへ信号を送信する際にそれぞれ使用できる第２の最大送信電力とを、前記第１の最大送信電力と前記第２の最大送信電力の和が前記通信装置において使用できる第３の最大送信電力を超えないように決定する決定工程と、
通知手段が、前記第１の最大送信電力を前記通信装置へ通知すると共に、前記第２の最大送信電力を前記１つ以上の他の基地局装置のそれぞれへ通知する通知工程と、
を有し、
前記第２の最大送信電力は、前記通知工程において前記通信装置へ通知され、または前記１つ以上の他の基地局装置のそれぞれから前記通信装置へ通知される、
ことを特徴とする制御方法。
【請求項２３】
基地局装置および１つ以上の他の基地局装置と同時に接続できる通信装置の制御方法であって、
取得手段が、前記基地局装置から、当該基地局装置への信号の送信に使用できる第１の最大送信電力の情報を取得すると共に、前記基地局装置または前記１つ以上の他の基地局装置のそれぞれから、前記１つ以上の他の基地局装置のそれぞれへの信号の送信に使用できる第２の最大送信電力の情報を取得する取得工程と、
送信手段が、前記基地局装置および前記１つ以上の他の基地局装置のそれぞれに同時に信号を送信する場合は、それぞれ前記第１の最大送信電力と前記第２の最大送信電力とを超えない電力で当該信号を送信する送信工程と、
を有し、
前記第１の最大送信電力と前記第２の最大送信電力の和は前記通信装置において使用できる第３の最大送信電力を超えない、
ことを特徴とする制御方法。
【請求項２４】
通信装置が基地局装置および１つ以上の他の基地局装置と同時に接続できる無線通信システムにおける、前記通信装置または前記１つ以上の他の基地局装置へ情報を通知する通知手段を有する前記基地局装置に備えられたコンピュータに、
前記通信装置が前記基地局装置へ信号を送信する際に使用できる第１の最大送信電力と、前記通信装置が前記１つ以上の他の基地局装置のそれぞれへ信号を送信する際にそれぞれ使用できる第２の最大送信電力とを、前記第１の最大送信電力と前記第２の最大送信電力の和が前記通信装置において使用できる第３の最大送信電力を超えないように決定する決定工程と、
前記第１の最大送信電力を前記通信装置へ通知すると共に、前記第２の最大送信電力を前記１つ以上の他の基地局装置のそれぞれへ通知するように前記通知手段を制御する工程と、
を実行させるためのプログラムであって、
前記第２の最大送信電力は、前記通知手段により前記通信装置へ通知され、または前記１つ以上の他の基地局装置のそれぞれから前記通信装置へ通知される、
ことを特徴とするプログラム。
【請求項２５】
基地局装置および１つ以上の他の基地局装置と同時に接続でき、前記基地局装置または前記１つ以上の他の基地局装置へ信号を送信する送信手段を有する通信装置に備えられたコンピュータに、
前記基地局装置から、当該基地局装置への信号の送信に使用できる第１の最大送信電力の情報を取得すると共に、前記基地局装置または前記１つ以上の他の基地局装置のそれぞれから、前記１つ以上の他の基地局装置のそれぞれへの信号の送信に使用できる第２の最大送信電力の情報を取得する取得工程と、
前記基地局装置および前記１つ以上の他の基地局装置のそれぞれに同時に信号を送信する場合は、それぞれ前記第１の最大送信電力と前記第２の最大送信電力とを超えない電力で当該信号を送信するように、前記送信手段を制御する工程と、
を実行させるためのプログラムであって、
前記第１の最大送信電力と前記第２の最大送信電力の和は前記通信装置において使用できる第３の最大送信電力を超えない、
ことを特徴とするプログラム。
【発明の詳細な説明】
【技術分野】
【０００１】
本発明は無線通信システムにおける端末の送信電力制御技術に関する。
【背景技術】
【０００２】
第３世代パートナーシッププロジェクト（３ＧＰＰ）において、大セル（マクロセル）のカバレッジ内に異なる周波数帯域（例えば、マクロセルで使用されるよりも高い周波数帯域）を使用する小セル（スモールセル）を多数設置することが議論されている。例えば、図１の例のように、２ＧＨｚ帯の周波数帯域を使用するマクロセルのカバレッジエリア内に、３．５ＧＨｚ帯の周波数帯域を使用するスモールセルが複数置局される。
【０００３】
ＬＴＥ  Ｒｅｌｅａｓｅ  １２では、このような環境において２つのタイプの基地局がＭＡＣ（媒体アクセス制御）レイヤより上位のレイヤにおいて連携するＤｕａｌ  Ｃｏｎｎｅｃｔｉｖｉｔｙという技術について議論が開始されている（非特許文献１参照）。ここで、２つのタイプの基地局とは、マスタｅＮＢ（例えばマクロ基地局）とスレーブｅＮＢ（例えばスモールセルの基地局）であり、マスタｅＮＢが通信制御を主導し、スレーブｅＮＢは、その通信制御に基づいて動作する。Ｄｕａｌ  Ｃｏｎｎｅｃｔｉｖｉｔｙでは、２つのタイプの基地局間が有線又は無線のバックホール回線で接続され、例えば、端末へ送信されるトラフィックはマスタｅＮＢを経由してスレーブｅＮＢへ受け渡されることが想定されている。受け渡された信号は、その後、スレーブｅＮＢから端末へ無線信号として送信される。また、端末からスレーブｅＮＢへ送信された信号は、スレーブｅＮＢからマスタｅＮＢへ転送される。すなわち、全て又は大部分のトラフィックが、マスタｅＮＢを一度通過することとなる。
【０００４】
ここで、バックホール回線は、例えば１Ｇｂｐｓなどの大容量が求められる一方で、その遅延に対する要求は、１０ｍｓｅｃ以上など比較的厳しくない。したがって、図２に示すように、Ｄｕａｌ  Ｃｏｎｎｅｃｔｉｖｉｔｙでは、モビリティ維持などの制御データ（Ｃ−ｐｌａｎｅ）や、音声通話トラフィックなどリアルタイム性の高いデータはマスタｅＮＢから端末へ送信される。一方で、Ｗｅｂ閲覧などのリアルタイム性が要求されないベストエフォート型のユーザデータ（Ｕ−ｐｌａｎｅ）は、スレーブｅＮＢから端末へ送信される。これにより、スレーブｅＮＢへの接続に伴うハンドオーバを行うことなく、スレーブｅＮＢへのデータオフローディングを行うことが可能となる。
【先行技術文献】
【非特許文献】
【０００５】
【非特許文献１】Ｓａｍｓｕｎｇ、Ｒ１−１３１８３０、“Ｄｉｓｃｕｓｓｉｏｎ  ｏｎ  ｄｕａｌ  ＲＲＣ”、３ＧＰＰ  ＴＳＧ  ＲＡＮ  ＷＧ２＃８２、２０１３年５月
【発明の概要】
【発明が解決しようとする課題】
【０００６】
Ｄｕａｌ  Ｃｏｎｎｅｃｔｉｖｉｔｙでは、端末は、マスタｅＮＢとスレーブｅＮＢとに対して、各ｅＮＢまでの通信経路における伝搬損失、各ｅＮＢから通知されるオフセット値、割り当てられたリソース量などに基づいて、それぞれの送信電力を決定する。なお、リソースの割り当ては、ｅＮＢ間のバックホール回線の遅延が大きいことが想定されるため、各ｅＮＢが独立して行う。このとき、マスタｅＮＢとスレーブｅＮＢは、それぞれと端末との間の通信で端末が使用することができる最大送信電力を、端末に通知する。すなわち、マスタｅＮＢは、マスタｅＮＢと端末との間の通信において、端末がマスタｅＮＢに信号を送信する際に使用可能な第１の最大送信電力を端末に通知する。同様に、スレーブｅＮＢは、スレーブｅＮＢと端末との間の通信において、端末がスレーブｅＮＢに信号を送信する際に使用可能な第２の最大送信電力を端末に通知する。なお、この最大送信電力は、端末からの信号が所定の無線品質を有するように、各ｅＮＢによって決定される。
【０００７】
このとき、マスタｅＮＢは第２の最大送信電力を知ることができず、スレーブｅＮＢは第１の最大送信電力を知ることができない。そして、第１の最大送信電力と第２の最大送信電力との和が、端末自身の能力として使用可能な第３の最大送信電力を超えたとしても、各ｅＮＢは、それを知ることができなかった。この結果、例えば、端末がいずれかのｅＮＢへの信号の送信に多くの電力を割り当てることにより、他のｅＮＢへの信号に割り当てる電力が不足し、そのｅＮＢが想定する受信品質を保つことができない場合があった。
【０００８】
本発明は上記課題に鑑みてなされたものであり、端末が複数の基地局に同時に接続される場合に、端末が使用可能な送信電力を考慮して、端末における複数の基地局に対する最大送信電力を配分することを目的とする。
【課題を解決するための手段】
【０００９】
上記目的を達成するため、本発明による基地局装置は、通信装置が基地局装置および１つ以上の他の基地局装置と同時に接続できる無線通信システムにおける、前記基地局装置であって、前記通信装置が前記基地局装置へ信号を送信する際に使用できる第１の最大送信電力と、前記通信装置が前記１つ以上の他の基地局装置のそれぞれへ信号を送信する際にそれぞれ使用できる第２の最大送信電力とを、前記第１の最大送信電力と前記第２の最大送信電力の和が前記通信装置において使用できる第３の最大送信電力を超えないように決定する決定手段と、前記第１の最大送信電力を前記通信装置へ通知すると共に、前記第２の最大送信電力を前記１つ以上の他の基地局装置のそれぞれへ通知する通知手段と、を有し、前記第２の最大送信電力は、前記通知手段により前記通信装置へ通知され、または前記１つ以上の他の基地局装置のそれぞれから前記通信装置へ通知される、ことを特徴とする。
【００１０】
また、上記目的を達成するため、本発明による通信装置は、基地局装置および１つ以上の他の基地局装置と同時に接続できる通信装置であって、前記基地局装置から、当該基地局装置への信号の送信に使用できる第１の最大送信電力の情報を取得すると共に、前記基地局装置または前記１つ以上の他の基地局装置のそれぞれから、前記１つ以上の他の基地局装置のそれぞれへの信号の送信に使用できる第２の最大送信電力の情報を取得する取得手段と、前記基地局装置および前記１つ以上の他の基地局装置のそれぞれに同時に信号を送信する場合は、それぞれ前記第１の最大送信電力と前記第２の最大送信電力とを超えない電力で当該信号を送信する送信手段と、を有し、前記第１の最大送信電力と前記第２の最大送信電力の和は前記第３の最大送信電力を超えない、ことを特徴とする。
【発明の効果】
【００１１】
本発明によれば、端末が複数の基地局に同時に接続される場合に、端末が使用可能な送信電力を考慮して、端末における複数の基地局に対する最大送信電力を配分することができる。
【図面の簡単な説明】
【００１２】
【図１】それぞれ異なる周波数帯域を使用するマクロセルとスモールセルとの配置例を示す概念図。
【図２】Ｄｕａｌ  Ｃｏｎｎｅｃｔｉｖｉｔｙによる端末と複数のｅＮＢとの間の通信の例を示す概念図。
【図３】マスタｅＮＢ、スレーブｅＮＢ及び端末のハードウェア構成例を示す図。
【図４】マスタｅＮＢの機能構成例を示すブロック図。
【図５】スレーブｅＮＢの機能構成例を示すブロック図。
【図６】端末の機能構成例を示すブロック図。
【図７】最大送信電力が決定されて端末へ通知されるまでの処理の流れの例を示すシーケンス図。
【発明を実施するための形態】
【００１３】
以下、添付図面を参照して本発明の実施の形態を詳細に説明する。
【００１４】
（システム構成）
本実施形態に係る無線通信システムは、例えば、図２に示すように、マスタｅＮＢ、スレーブｅＮＢ及び端末（ＵＥ）を含む。なお、ここでは、ｅＮＢは基地局装置であるが、対応する無線通信システムは、ＬＴＥ以外のものであってもよい。また、端末は、移動体又は固定された無線通信装置であり、ＬＴＥ以外の無線通信システムに対応してもよい。なお、本実施形態の無線通信システムでは、マスタｅＮＢは第１の周波数帯域（例えば２ＧＨｚ）を用いて通信を行い、スレーブｅＮＢは第２の周波数帯域（３．５ＧＨｚ）を用いて通信を行う。
【００１５】
マスタｅＮＢとスレーブｅＮＢとは、互いに有線又は無線の通信回線（バックホール回線）によって接続される。そして、下り信号は、マスタｅＮＢから直接無線信号として端末に送信されることにより、又はマスタｅＮＢからスレーブｅＮＢへ転送された後にスレーブｅＮＢから端末に無線信号として伝送されることにより、端末に到達する。また、上り信号は、端末がマスタｅＮＢへ直接送信することにより、又は、端末からスレーブｅＮＢへ送信された信号をスレーブｅＮＢがマスタｅＮＢへ転送することにより、マスタｅＮＢへ到達する。なお、端末と、スレーブｅＮＢに直接接続される他の装置との間の通信については、マスタｅＮＢを経由しない場合もある。
【００１６】
なお、図２では、１つのスレーブｅＮＢのみが存在する場合について示されているが、１つ以上のスレーブｅＮＢが存在する場合のいずれにおいても、以下の議論を適用することが可能である。また、図２では、１つの端末のみが存在する場合について示されているが、これについても、１つ以上の端末が存在する場合のいずれにおいても、以下の議論を適用することが可能である。
【００１７】
ここで、従来は、上述のように、マスタｅＮＢは、スレーブｅＮＢにより設定された第２の最大送信電力を知ることができず、スレーブｅＮＢは、マスタｅＮＢにより設定された第１の最大送信電力を知ることができない。このため、第１の最大送信電力と第２の最大送信電力（スレーブｅＮＢが複数存在する場合はそれぞれのスレーブｅＮＢにより設定された第２の最大送信電力の総和）の和が、端末が能力として有する第３の最大送信電力を超えてしまう場合があった。この場合、端末は、例えば、まずマスタｅＮＢへの信号の送信に対して電力を割り当て、その後、スレーブｅＮＢへの信号の送信に第３の最大送信電力から既に割り当てられた電力を減じた量の電力を割り当てる。このときに、端末がマスタｅＮＢへの信号の送信に対して多くの電力を割り当てると、スレーブｅＮＢへの信号の送信へ割り当てられる電力が不十分となり、スレーブｅＮＢにおける無線品質が劣化してしまう場合があった。すなわち、各ｅＮＢに対する最大送信電力の和が、端末の能力による最大送信電力を超えることにより、端末における各ｅＮＢへの信号に対する送信電力の配分が偏ってしまい、その結果、いずれかのｅＮＢにおいて無線品質が劣化してしまう場合があった。
【００１８】
このため、本実施形態では、マスタｅＮＢが、第１の最大送信電力と第２の最大送信電力との両方を、第３の最大送信電力を超えないように決定する。すなわち、マスタｅＮＢは、端末における送信電力の配分の偏りが生じないように、マスタｅＮＢ自身についての第１の最大送信電力に加えて、スレーブｅＮＢについての第２の最大送信電力をも決定する。これにより、例えば、端末がマスタｅＮＢへの信号に対して過剰な電力を割り当てることがなくなり、スレーブｅＮＢにおいて、端末からの信号の無線品質が所定の品質を満足する確率を高めることができる。
【００１９】
続いて、ｅＮＢと端末との構成及び動作について、詳細に説明する。
【００２０】
（ｅＮＢ及び端末のハードウェア構成）
図３は、マスタｅＮＢ並びにスレーブｅＮＢ（基地局装置）、及び端末（移動体／固定通信装置）のハードウェア構成例を示す図である。マスタｅＮＢ、スレーブｅＮＢ、及び端末は、一例において、図３に示すような、同様のハードウェア構成を有し、例えば、ＣＰＵ３０１、ＲＯＭ３０２、ＲＡＭ３０３、外部記憶装置３０４、及び通信装置３０５を有する。マスタｅＮＢ、スレーブｅＮＢ、及び端末では、例えばＲＯＭ３０２、ＲＡＭ３０３及び外部記憶装置３０４のいずれかに記録された、以下に示すマスタｅＮＢ、スレーブｅＮＢ、及び端末の各機能を実現するプログラムがＣＰＵ３０１により実行される。そして、マスタｅＮＢ、スレーブｅＮＢ、及び端末は、例えばＣＰＵ３０１により通信装置３０５を制御して、マスタｅＮＢ若しくはスレーブｅＮＢと端末との間の通信、又はマスタｅＮＢとスレーブｅＮＢとの間のｅＮＢ間通信を行う。
【００２１】
なお、図３では、マスタｅＮＢ、スレーブｅＮＢ、及び端末は、１つの通信装置３０５を有するとしているが、例えば、ｅＮＢは、ｅＮＢ間の通信用の通信装置及び端末との間の通信装置を有してもよい。また、端末は、例えば、複数の周波数帯域のそれぞれに対応する複数の通信装置を有していてもよい。
【００２２】
なお、マスタｅＮＢ、スレーブｅＮＢ、及び端末は、以下に説明する各機能を実行する専用のハードウェアを備えてもよいし、一部をハードウェアで実行し、プログラムを動作させるコンピュータでその他の部分を実行してもよい。また、以下の全機能をコンピュータとプログラムにより実行させてもよい。
【００２３】
（マスタｅＮＢの機能構成）
図４は、マスタｅＮＢの機能構成例を示すブロック図である。マスタｅＮＢは、例えば、最大送信電力決定部４０１、無線通信部４０２、有線通信部４０３、及び情報受付部４０４を有する。なお、マスタｅＮＢは、通常のｅＮＢが備える他の機能部をさらに有することができるが、本実施形態では、説明を簡単にするため、そのような機能部については説明を省略する。
【００２４】
無線通信部４０２は、端末との間で無線通信を行う機能部である。また、有線通信部４０３は、例えば、Ｘ２インタフェースを介して、スレーブｅＮＢとの間で有線通信を行う機能部である。無線通信部４０２及び有線通信部４０３は、後述する最大送信電力決定部４０１が決定した、第１の最大送信電力を端末へ通知し、第２の最大送信電力を端末又はスレーブｅＮＢへ通知する。なお、第２の最大送信電力がスレーブｅＮＢへ通知された場合は、スレーブｅＮＢは、この第２の最大送信電力の情報を記憶すると共に、端末へ転送する。また、第１の最大送信電力の通知（及び第２の最大送信電力の無線による通知）は、例えば、報知信号によりセル内の全ての端末に向けてブロードキャストされる。なお、マスタｅＮＢとスレーブｅＮＢとの間の通信は、無線通信部４０２を用いて無線通信により行われてもよい。
【００２５】
最大送信電力決定部４０１は、端末が、マスタｅＮＢとスレーブｅＮＢとに対する上りリンクの信号を送信する際に使用できる第１の最大送信電力と第２の最大送信電力とを決定する。なお、最大送信電力決定部４０１は、スレーブｅＮＢから、最大送信電力を決定することの要求を受け付けた場合に、第１の最大送信電力および第２の最大送信電力の決定処理を開始してもよい。
【００２６】
最大送信電力決定部４０１は、例えば、マスタｅＮＢとスレーブｅＮＢとの総数に応じて、第１の最大送信電力と第２の最大送信電力とを決定する。最大送信電力決定部４０１は、例えば、端末が１つのマスタｅＮＢと１つのスレーブｅＮＢとに同時に接続される場合は、第３の最大送信電力を２で除算した結果を、第１の最大送信電力および第２の最大送信電力として決定する。同様に、端末が１つのマスタｅＮＢとＮ個のスレーブｅＮＢとに同時に接続される場合、最大送信電力決定部４０１は、第３の最大送信電力をＮ＋１（すなわち、スレーブｅＮＢの個数に１を加えた値）で除算する。そして、最大送信電力決定部４０１は、この除算結果を、マスタｅＮＢに対する第１の最大送信電力およびＮ個のスレーブｅＮＢのそれぞれに対する第２の最大送信電力として決定する。この場合、第１の最大送信電力＋Ｎ×第２の最大送信電力＝第３の最大送信電力となる。
【００２７】
また、最大送信電力決定部４０１は、スレーブｅＮＢの個数に１より大きい値を加えた値によって、第３の最大送信電力を除算して第２の最大送信電力を算出し、その算出結果から第１の最大送信電力を算出してもよい。例えば、最大送信電力決定部４０１は、端末が１つのマスタｅＮＢとＭ個のスレーブｅＮＢとに接続される場合に、第３の最大送信電力を、Ｍ＋２で除算して、Ｍ個のスレーブｅＮＢに対する第２の最大送信電力を決定する。そして、最大送信電力決定部４０１は、第２の最大送信電力の総和（すなわち、第２の最大送信電力×Ｍ）を計算し、その結果を第３の最大送信電力から減算することにより、第１の最大送信電力を計算する。例えばＭ＝２の場合、第２の最大送信電力は、第３の最大送信電力を２＋２＝４で除算した結果の値、すなわち第３の最大送信電力の１／４となる。そして、第１の最大送信電力は、第３の最大送信電力から、第２の最大送信電力の総和（第２の最大送信電力×Ｍ（＝２））を減じた結果の値、すなわち、第３の最大送信電力の１／２となる。同様にして、Ｍ＝１の場合は、第１の最大送信電力は第３の最大送信電力の２／３となり、第２の最大送信電力は第３の最大送信電力の１／３となる。なお、スレーブｅＮＢは全て等しい第２の最大送信電力を有する必要はない。例えば、上述の計算によって第２の最大送信電力の総和を計算し、その結果を超えない範囲で、各スレーブｅＮＢに対して最大送信電力が割り当てられてもよい。これらの計算では、最大送信電力決定部４０１は、端末が同時に接続されうるスレーブｅＮＢの数が分かるだけで、第１の最大送信電力および第２の最大送信電力を容易に計算することが可能となる。
【００２８】
また、最大送信電力決定部４０１は、端末からの上りリンクの所定の信号が、マスタｅＮＢにおいて所定の品質で受信されるのに要する送信電力を、第１の最大送信電力として決定してもよい。所定の信号は、例えばＰＵＣＣＨ（物理上りリンク制御チャネル）である。この場合、第２の最大送信電力は、例えば、第３の最大送信電力から第１の最大送信電力を減じた結果を、スレーブｅＮＢの数で除算した結果として与えられる。なお、第２の最大送信電力は、第３の最大送信電力から第１の最大送信電力を減じた結果が、第２の最大送信電力の総和以上となるように算出されればよく、全てのスレーブｅＮＢに対して同じ第２の最大送信電力が決定される必要はない。これにより、例えば制御チャネルなどについて、ｅＮＢで受信できるだけの電力を確保して、余力の電力を使用してデータ通信を行うように電力配分を行うことが可能となる。
【００２９】
なお、最大送信電力決定部４０１は、マスタｅＮＢに複数の端末が接続する場合は、複数の端末のそれぞれについて、マスタｅＮＢが所定の品質で受信するのに要する信号送信電力の値を取得し、取得した値の最大値を第１の最大送信電力として決定してもよい。すなわち、マスタｅＮＢに接続される全ての端末からの信号が、マスタｅＮＢにおいて所定の品質で受信されるように、第１の最大送信電力が決定されてもよい。
【００３０】
さらに、最大送信電力決定部４０１は、マスタｅＮＢと端末との間の伝搬損失の大きさと、スレーブｅＮＢと端末との間の伝搬損失の大きさとに基づいて、第１の最大送信電力および第２の最大送信電力を決定してもよい。例えば、最大送信電力決定部４０１は、伝搬損失の大きさの比に、最大送信電力が比例するように、第１の最大送信電力および第２の最大送信電力を決定してもよい。具体的には、マスタｅＮＢと端末との間の伝搬損失の大きさが、スレーブｅＮＢと端末との間の伝搬損失の大きさの２倍であった場合、第１の最大送信電力は、第２の最大送信電力の２倍となるように決定されてもよい。なお、スレーブｅＮＢと端末との間の伝搬損失の大きさは、情報受付部４０４が、端末から無線通信部４０２を介して受け付けてもよいし、スレーブｅＮＢから有線通信部４０３を介して受け付けてもよい。また、マスタｅＮＢとスレーブｅＮＢとに接続される端末が複数存在する場合は、上述の伝搬損失の大きさは、複数の端末のそれぞれとｅＮＢとの間の伝搬損失の大きさの最大値であってもよい。さらに、マスタｅＮＢは、不図示の情報要求部によって、端末またはスレーブｅＮＢに対して、スレーブｅＮＢと端末との間の伝搬損失の情報を要求してもよい。これにより、ｅＮＢに接続する端末の全てに対して、一定の通信品質を担保することが可能となる。これにより、伝搬損失を考慮して、各ｅＮＢにおける端末からの信号の無線品質が偏らないように、最大送信電力を配分することができる。
【００３１】
また、最大送信電力決定部４０１は、端末がマスタｅＮＢとスレーブｅＮＢへ信号を送信する際に使用する送信電力を定めるためのパラメータに基づいて、第１の最大送信電力および第２の最大送信電力を決定してもよい。なお、スレーブｅＮＢに関するパラメータは、情報受付部４０４が、端末から無線通信部４０２を介して受け付けてもよいし、スレーブｅＮＢから有線通信部４０３を介して受け付けてもよい。さらに、マスタｅＮＢは、不図示の情報要求部によって、端末またはスレーブｅＮＢに対して、スレーブｅＮＢと端末との間の伝搬損失の情報を要求してもよい。
【００３２】
ここで、パラメータは、オフセット値を含んでもよく、オフセット値は、伝搬損失に加えられることにより、端末が使用する送信電力が定まる値である。例えば、最大送信電力決定部４０１は、マスタｅＮＢとスレーブｅＮＢにおける伝搬損失とオフセット値との和の比が、最大送信電力との比になるように、第１の最大送信電力および第２の最大送信電力を決定してもよい。また、パラメータは、送信電力を定める際に、伝搬損失の値を補正するためのパスロス補正係数であってもよい。最大送信電力決定部４０１は、例えば、マスタｅＮＢとスレーブｅＮＢにおける伝搬損失にそれぞれのパスロス補正係数を乗じた値の比が、最大送信電力との比になるように、第１の最大送信電力および第２の最大送信電力を決定してもよい。さらに、パラメータは、例えば所定時間だけ過去から現在までの所定期間の間に、マスタｅＮＢとスレーブｅＮＢとが個別の端末に割り当てた無線リソースの数の平均値を含んでもよい。この場合、例えば、マスタｅＮＢとスレーブｅＮＢにおける伝搬損失に、それぞれ割り当てたリソースの平均値に対して対数計算を施して加算した値の比が、最大送信電力の比となるように、第１の最大送信電力および第２の最大送信電力を決定されてもよい。
【００３３】
これらをすべてまとめて、例えば、
2015056780.tif 000003
を満たすように、第１の最大送信電力（ＰMMAX）および第２の最大送信電力（ＰSMAX）が決定されてもよい。ここで、ＰＬMMAXおよびＰＬSMAXは、それぞれマスタｅＮＢとスレーブｅＮＢとにおける、端末との間の伝搬損失の最大値である。また、αMおよびαSは、それぞれマスタｅＮＢとスレーブｅＮＢとにおけるパスロス補正係数である。また、ＮMおよびＮSは、それぞれマスタｅＮＢとスレーブｅＮＢとにおいて、１つの端末に対して割り当てられた（１つのＵＥが占有した）無線リソースの数の平均値である。そして、ＯMおよびＯSは、それぞれマスタｅＮＢおよびスレーブｅＮＢにおいて設定されたオフセット値である。これらのようにすることで、その時点における送信電力の設定を考慮して、適切な配分の最大送信電力を決定することが可能となる。
【００３４】
なお、第１の最大送信電力および第２の最大送信電力は、それぞれ最小値および最大値を有していてもよい。そして、最大送信電力決定部４０１は、例えば、上述のようにして計算した第１の最大送信電力が第１の最大送信電力の最小値より小さい場合、第１の最大送信電力をその最小値に変更する。また、同様に、最大送信電力決定部４０１は、例えば、計算した第１の最大送信電力が第１の最大送信電力の最大値より大きい場合、第１の最大送信電力をその最大値に変更する。第２の最大送信電力についても、計算された値が、設定できる最小値より小さい場合はその最小値に、設定できる最大値より大きい場合はその最大値に、それぞれ値を変更してもよい。
【００３５】
そして、最大送信電力決定部４０１は、変更された最大送信電力以外の最大送信電力の値を、その変更に応じて再調整してもよい。すなわち、例えば第１の最大送信電力が変更された場合、最大送信電力決定部４０１は、第３の最大送信電力からその変更後の値を減じた値が、第２の最大送信電力の総和以上となるように、第２の最大送信電力を再調整する。同様に、例えば第２の最大送信電力が変更された場合、最大送信電力決定部４０１は、第３の最大送信電力からその変更後の第２の最大送信電力の総和を減じた値が、第１の最大送信電力以上となるように、第１の最大送信電力を再調整する。これにより、第１の最大送信電力および第２の最大送信電力が過小または過剰に割り当てられることを防ぎながら、各ｅＮＢに対する信号の電力が適切に配分されるように制御することが可能となる。
【００３６】
情報受付部４０４は、端末から無線通信部４０２を介して、またはスレーブｅＮＢから有線通信部４０３を介して、最大送信電力を決定するための情報を受け付ける。
【００３７】
なお、マスタｅＮＢは、端末の能力による第３の最大送信電力が複数種類存在する場合は、それぞれの第３の最大送信電力に対して、第１の最大送信電力および第２の最大送信電力を決定してもよい。マスタｅＮＢは、この場合、第３の最大送信電力ごとに異なり得る第１の最大送信電力および第２の最大送信電力の情報を報知信号に含めて、その報知信号をブロードキャストする。端末は、その報知信号を受信すると、端末自身の能力における第３の最大送信電力に対応する、第１の最大送信電力および第２の最大送信電力を抽出して、各ｅＮＢに対する最大送信電力として設定する。なお、端末のカテゴリごとに第３の最大送信電力が定まる場合は、カテゴリに対応付けられた第１の最大送信電力および第２の最大送信電力を示す情報が、報知信号に含められて、端末に通知されてもよい。その場合、端末は、自らが属するカテゴリに対応する第１の最大送信電力および第２の最大送信電力を報知信号から抽出して、各ｅＮＢに対する最大送信電力として設定する。これにより、端末ごとに最大送信電力が異なり得る場合であっても、マスタｅＮＢは、それぞれの最大送信電力に応じた第１の最大送信電力および第２の最大送信電力を決定し、通知することが可能となる。
【００３８】
（スレーブｅＮＢの構成）
図５は、スレーブｅＮＢの機能構成例を示すブロック図である。スレーブｅＮＢは、例えば、情報取得部５０１、最大送信電力設定部５０２、情報通知部５０３、無線通信部５０４及び有線通信部５０５を有する。なお、スレーブｅＮＢは、通常のｅＮＢが備える他の機能部をさらに有することができるが、本実施形態では、説明を簡単にするため、そのような機能部については説明を省略する。情報取得部５０１は、例えば、マスタｅＮＢから、有線通信部５０５を介して、第２の最大送信電力の情報を取得する。そして、最大送信電力設定部５０２は、第２の最大送信電力を、スレーブｅＮＢに対する端末の最大送信電力として設定する。
【００３９】
情報通知部５０３は、例えば、端末に対して、無線通信部５０４を介して、第２の最大送信電力を報知信号により通知する。なお、マスタｅＮＢが第２の最大送信電力の情報を端末に無線通信により通知する場合は、第２の最大送信電力を通知する報知信号はなくてもよい。また、情報通知部５０３は、マスタｅＮＢに対して、有線通信部５０５を介して、例えば端末とスレーブｅＮＢとの間の伝搬損失の情報や、送信電力設定のためのパラメータの情報を通知する。なお、伝搬損失の情報などは、無線通信部５０４を介して、端末による無線品質の測定報告により取得してもよい。また、例えば、マスタｅＮＢがスレーブｅＮＢの数だけで最大送信電力を決定する場合や、マスタｅＮＢが端末から情報を取得する場合は、これらの情報の通知はなくてもよい。なお、情報通知部５０３は、最大送信電力の設定が必要となった場合、端末がＤｕａｌ  Ｃｏｎｎｅｃｔｉｖｉｔｙの状態となった場合または定期的に、最大送信電力の設定の要求を、有線通信部５０５を通じてマスタｅＮＢへ送信してもよい。
【００４０】
無線通信部５０４は、端末との間で無線通信を行うための機能部であり、有線通信部５０５は、マスタｅＮＢ（または他のスレーブｅＮＢ）との間で有線通信を行うための機能部である。有線通信部５０５は、例えばＸ２インタフェースを用いて、ｅＮＢ間の通信を行う。なお、マスタｅＮＢとスレーブｅＮＢとの間の通信は、無線通信部５０４を用いて無線通信により行われてもよい。
【００４１】
（端末の構成）
図６は、端末の機能構成例を示すブロック図である。端末は、例えば、情報取得部６０１、最大送信電力記憶部６０２、送信電力設定部６０３、情報提供部６０４及び無線通信部６０５を有する。なお、端末は、通常の端末が備える他の機能部をさらに有することができるが、本実施形態では、説明を簡単にするため、そのような機能部については説明を省略する。無線通信部６０５は、各ｅＮＢとの間で無線通信を行う機能部であり、送信電力設定部６０３で設定された送信電力を用いて、各ｅＮＢに対して無線信号を送信する。
【００４２】
情報取得部６０１は、例えば、マスタｅＮＢから、無線通信部６０５を介して、第１の最大送信電力および第２の最大送信電力を取得する。なお、第２の最大送信電力は、スレーブｅＮＢから取得してもよい。取得した第１の最大送信電力および第２の最大送信電力の情報は、最大送信電力記憶部６０２に記憶される。
【００４３】
送信電力設定部６０３は、マスタｅＮＢとスレーブｅＮＢとに同時に信号を送信する場合に、マスタｅＮＢに対する送信電力を第１の最大送信電力以下に、スレーブｅＮＢに対する送信電力が第２の最大送信電力以下に、それぞれ送信電力を設定する。設定された送信電力は、無線通信部６０５に通知されて、各ｅＮＢに送信される信号の増幅量がその設定された送信電力に基づいて制御される。
【００４４】
送信電力設定部６０３は、マスタｅＮＢとスレーブｅＮＢとに対して同時に信号を送信するかを常に監視していてもよく、例えばマスタｅＮＢに対してのみ信号を送信する場合は、第１の最大送信電力を超えて送信電力を設定してもよい。ただし、この場合は、送信電力は、第３の最大送信電力を超えないように設定される。なお、スレーブｅＮＢが複数存在する場合で、一部のスレーブｅＮＢに対してのみ信号を送信する場合、送信電力設定部６０３は、信号を送信する対象でないスレーブｅＮＢについての最大送信電力を、他のｅＮＢについての最大送信電力に割り振ってもよい。例えば、２つのスレーブｅＮＢが存在する場合、一例として、第１の最大送信電力および第２の最大送信電力は、いずれも、第３の最大送信電力の１／３として決定される。一方で、２つのスレーブｅＮＢのうち、１つにしか信号を送信しない場合は、送信電力設定部６０３は、信号送信対象でないスレーブｅＮＢ分の最大送信電力を他に割り当てる。この場合、送信電力設定部６０３は、例えば、マスタｅＮＢと１つのスレーブｅＮＢに対して、それぞれ第３の最大送信電力の１／２以下となる範囲で、送信電力を設定することができる。
【００４５】
情報提供部６０４は、例えば、各ｅＮＢとの間の伝搬損失等の無線品質を測定した結果など、最大送信電力を決定するための情報をメッセージとして形成し、無線通信部６０５を通じて、そのメッセージをマスタｅＮＢ又はスレーブｅＮＢに通知する。また、情報提供部６０４は、同時に接続できるｅＮＢの数をマスタｅＮＢに通知してもよい。この場合、例えば、マスタｅＮＢは、その通知されたｅＮＢの数の最大値に応じて、各ｅＮＢに対する最大送信電力を決定することができる。
【００４６】
このように、端末に対して各ｅＮＢに対する最大送信電力を割り振ることにより、送信電力があるｅＮＢに対する信号にのみ偏るなどの事象を防ぐことが可能となる。また、端末は、複数のｅＮＢの少なくとも一部に対して信号を同時には送信しないのであれば、その分の最大送信電力を他のｅＮＢへの信号に割り当てることで、通信の信頼性を高めることが可能となる。
【００４７】
（最大送信電力が決定されてから通知されるまでの処理の流れ）
続いて、第１の最大送信電力および第２の最大送信電力が決定され、その後、決定された最大送信電力が端末に通知されるまでの流れについて説明する。図７（ａ）〜（ｄ）に、これらの処理の流れの例を示す。
【００４８】
図７（ａ）の例では、まず、マスタｅＮＢが第１の最大送信電力および第２の最大送信電力を独自に決定する。このとき、マスタｅＮＢは、例えば所定周期ごとに第１の最大送信電力および第２の最大送信電力の決定を実行してもよいし、例えば、Ｄｕａｌ  Ｃｏｎｎｅｃｔｉｖｉｔｙの状態となった端末が生じた場合に、この決定を実行してもよい。その後、マスタｅＮＢは、決定した第２の最大送信電力を端末へ通知する。そして、マスタｅＮＢは、決定した第１の最大送信電力を、報知信号を用いて端末に通知する。このとき、マスタｅＮＢが展開するセルにおける複数の端末に、同じ第１の最大送信電力が通知されることとなる。一方、スレーブｅＮＢも同様に、通知された第２の最大送信電力を、報知信号を用いて端末に通知する。これにより、スレーブｅＮＢは、マスタｅＮＢが決定した第２の最大送信電力を把握することができ、端末に対して第１の最大送信電力と第２の最大送信電力との両方を通知することが可能となる。
【００４９】
図７（ｂ）の例では、まず、スレーブｅＮＢが、マスタｅＮＢに対して、最大送信電力の決定の要求を通知する。このとき、スレーブｅＮＢは、各種パラメータなどの、最大送信電力を決定するのに用いられる情報をマスタｅＮＢに通知してもよい。その後、マスタｅＮＢは、その要求に従って、第１の最大送信電力および第２の最大送信電力を決定し、図７（ａ）と同様にスレーブｅＮＢと端末とに対して、決定した最大送信電力の情報を通知する。なお、スレーブｅＮＢからのパラメータを、最大送信電力の決定において使用しない場合などでは、マスタｅＮＢは、スレーブｅＮＢからではなく、端末から最大送信電力の決定の要求を受け取ったことに応じて、最大送信電力の決定処理を開始してもよい。これにより、スレーブｅＮＢ（または端末）において最大送信電力を決定すべき事象が生じたことを感知したことに応じて、マスタｅＮＢに最大送信電力を決定することを促すことができる。また、スレーブｅＮＢが、最大送信電力を決定するためのパラメータをマスタｅＮＢに通知することにより、マスタｅＮＢは、その時点での送信電力設定などの条件を前提として、各ｅＮＢにおける最大送信電力を割り振ることが可能となる。
【００５０】
図７（ｃ）の例では、まず、マスタｅＮＢが最大送信電力の決定処理を実行することを決定し、スレーブｅＮＢに対して、各種パラメータなどの、最大送信電力を決定するのに用いられる情報を要求する。そして、マスタｅＮＢは、スレーブｅＮＢからパラメータを受け取り、そのパラメータを使用して、第１の最大送信電力および第２の最大送信電力を決定する。パラメータ受信後の処理は、図７（ｂ）と同様である。これにより、マスタｅＮＢにおいて最大送信電力を決定すべき事象が生じたことを感知して、最大送信電力の決定処理を開始することができる。
【００５１】
図７（ｄ）の例では、まず、マスタｅＮＢは、図７（ａ）〜（ｃ）のいずれかのようにして第１の最大送信電力および第２の最大送信電力を決定する。そして、マスタｅＮＢは、スレーブｅＮＢに対して第２の最大送信電力を通知後、さらに、端末に対して、第１の最大送信電力だけでなく、第２の最大送信電力をも通知する。これにより、マスタｅＮＢとスレーブｅＮＢとから個別に最大送信電力の情報が通知されるのではなく、一括してマスタｅＮＢから最大送信電力が通知されることとなる。このため、例えば、シグナリング量を減らすことが可能となる。
【００５２】
このように、マスタｅＮＢにおいて、端末が各ｅＮＢに対して送信する際に使用できる送信電力の最大値を、その総和が端末の能力における最大送信電力を超えないように設定することが可能となる。したがって、端末における信号の送信電力が偏って配分されることを防ぐことが可能となり、例えば、各ｅＮＢにおける信号の受信品質を所定の品質以上に保つことが可能となる。
【図１】
2015056780.tif 000004
【図２】
2015056780.tif 000005
【図３】
2015056780.tif 000006
【図４】
2015056780.tif 000007
【図５】
2015056780.tif 000008
【図６】
2015056780.tif 000009
【図７】
2015056780.tif 000010